(57)【要約】【課題】移動局が他基地局へ移動した際に、移動元基地局との通信に使用していたチャネルがハンドオーバ先の基地局において既に使用されていた場合、移動局の通信を強制切断しなければならない。【解決手段】進行方向に移動する移動局と固定通信網との間において、通常通話の開始から終了まで同一チャネルを用いて音声通信を行う移動通信方法において、移動局の移動エリアを複数の基地局に分割して担当させ、呼接続時に移動局の存在する基地局より進行方向１基地局と反対方向１基地局とを通話予約し、さらに呼の生起時および移動局がハンドオーバする際に回線接続する前に予閉塞情報を取得し、予閉塞が重なった場合に呼の接続チャネルを移動する移動通信方法により、達成できる。【選択図】図３
2016086198.tif 000002
【特許請求の範囲】
【請求項１】
進行方向に移動する移動局と固定通信網との間において、通常通話の開始から終了まで同一チャネルを用いて音声通信を行う移動通信方法において、
前記移動局の移動エリアを複数の基地局に分割して担当させ、呼接続時に移動局の存在する基地局より進行方向１基地局と反対方向１基地局とを通話予約し、さらに呼の生起時および移動局がハンドオーバする際に回線接続する前に予閉塞情報を取得し、予閉塞が重なった場合に呼の接続チャネルを移動することを特徴とする移動通信方法。
【請求項２】
請求項１に記載の移動通信方法であって、
呼がハンドオーバする際に予め予閉塞情報を取得し、ハンドオーバ先の基地局のチャネルに空きが存在しなかった場合、ハンドオーバ元の基地局で接続していたチャネルのまま呼を接続し、強制切断処理を行うことを特徴とする移動通信方法。
【請求項３】
請求項１または請求項２に記載の移動通信方法であって、
呼接続時に移動局の存在する基地局より進行方向２基地局を通話予約することを特徴とする移動通信方法。
【請求項４】
進行方向に移動し、公衆電話端末および業務電話端末を収容する移動局と、この移動局からの信号を収容する基地局と、前記移動局と公衆電話網および鉄道会社業務電話網との接続を交換、接続する統制局と、を含む移動通信システムであって、
前記統制局は、前記移動局の移動エリアを複数の前記基地局に分割して担当させ、呼接続時に移動局の存在する基地局より進行方向１基地局と反対方向１基地局とを通話予約し、さらに呼の生起時および移動局がハンドオーバする際に回線接続する前に予閉塞情報を取得し、予閉塞が重なった場合に呼の接続チャネルを移動させることを特徴とする移動通信システム。
【発明の詳細な説明】
【技術分野】
【０００１】
本発明は、移動通信方法および移動通信システムに係り、特に軌道上を線的に移動する移動局と固定通信網との間で音声通信を行う移動通信方法および移動通信システムに関する。
【背景技術】
【０００２】
特許文献１は、複数の無線基地局を管轄する統制局において、使用中の音声チャネルを前もって移動局の移行方向の次の無線基地局で閉塞しておき、呼の混信を防止する技術を開示する。
【０００３】
図１を参照して、従来の地上電話網（公衆網または鉄道会社電話網）から発呼された呼が移動局と音声通信を開始し、移動局が異なる統制局管轄の基地局間を移動する際の音声通話の継続方法を説明する。図１において、地上電話網は、統制局Ａへの発信する（Ｓ１１）。統制局Ａは、移動局がどの基地局に在線しているか不明である。このため、統制局Ａは、発信の際にダイヤルされた列車固有の番号（列車番号）を全統制局の全基地局へ問い合わせる（Ｓ１２）。なお、起点が同一の複数の矢印は、本明細書において、同報を意味する。
【０００４】
移動局は、送信された列車番号が自らの列車番号と一致していれば、最寄の基地局へ基地局指定信号を応答する（Ｓ１３）。移動局の在線が基地局Ａのため、呼を受け付けた統制局Ａは、自統制局内の基地局Ａの前方２ゾーンと後方１ゾーンへ閉塞を行う。このとき基地局Ａは端基地局のため、統制局Ａは、基地局Ａの後方１基地局の閉塞を行う。統制局Ａは、統制局Ｂ管轄の基地局２つへ閉塞信号を送出する（Ｓ１４）。統制局Ａは、基地局Ａとの間に通話パスを形成し（Ｓ１５）、地上電話網と移動局間で音声通話状態となる。
【０００５】
移動局が基地局Ａの無線区間から基地局Ｂの無線区間へ移動すると、移動局は、送信していた基地局指定信号を、基地局Ａから基地局Ｂへ変更する（Ｓ１７）。基地局Ａは、統制局Ａへ移動局からの基地局指定信号が途絶えたことを通知する（Ｓ１８）。統制局Ｂは、統制局Ａへ移動局の基地局指定信号を受信したことを通知する（Ｓ１９）。統制局Ａは、統制局Ｂへ移動局の基地局指定信号をＯＦＦしたことを通知する（Ｓ２０）。シーケンス１８−２０で統制局Ａ、統制局Ｂの通知のやり取りを行うことで、統制局Ａと統制局Ｂは、移動局が正常に基地局間を移動したことを認識する。
【０００６】
統制局Ｂは、基地局Ｂの前方２基地局および基地局Ａへの閉塞信号を送出する（Ｓ２１）。統制局Ｂは、基地局Ａが移動局と通話に使用していたチャネルで基地局Ｂとの通話パスを形成し（Ｓ２２）、地上網と移動局間で音声通話が再開される。基地局Ａが移動局と通話に使用していたチャネルが、基地局Ｂにおいて他移動局によって閉塞されていたチャネルであった場合、閉塞されたチャネルに移動してきた移動局の通話呼は、通話再開後、通話保証時間を待った後に、統制局Ｂによって地上電話網との音声通話を強制切断される（Ｓ２３）。したがって、再開後の通話時間は、通話保証時間のみである。
【先行技術文献】
【特許文献】
【０００７】
【特許文献１】特開平３−１８５９３８号公報
【発明の概要】
【発明が解決しようとする課題】
【０００８】
従来技術では、移動局が他基地局へ移動した際に、移動元基地局との通信に使用していたチャネルがハンドオーバ先の基地局において既に使用されていた場合、移動局の通信を強制切断しなければならない。
【課題を解決するための手段】
【０００９】
上述した課題は、進行方向に移動する移動局と固定通信網との間において、通常通話の開始から終了まで同一チャネルを用いて音声通信を行う移動通信方法において、移動局の移動エリアを複数の基地局に分割して担当させ、呼接続時に移動局の存在する基地局より進行方向１基地局と反対方向１基地局とを通話予約し、さらに呼の生起時および移動局がハンドオーバする際に回線接続する前に予閉塞情報を取得し、予閉塞が重なった場合に呼の接続チャネルを移動する移動通信方法により、達成できる。
【００１０】
また、進行方向に移動し、公衆電話端末および業務電話端末を収容する移動局と、この移動局からの信号を収容する基地局と、移動局と公衆電話網および鉄道会社業務電話網との接続を交換、接続する統制局と、を含む移動通信システムであって、統制局は、移動局の移動エリアを複数の基地局に分割して担当させ、呼接続時に移動局の存在する基地局より進行方向１基地局と反対方向１基地局とを通話予約し、さらに呼の生起時および移動局がハンドオーバする際に回線接続する前に予閉塞情報を取得し、予閉塞が重なった場合に呼の接続チャネルを移動させる移動通信システムにより、達成できる。
【発明の効果】
【００１１】
本発明によれば、統制局が呼の生起時および移動局のハンドオーバ時に予閉塞情報を取得し、予閉塞が重なっていた場合に呼の接続先のチャネルを移動させ、強制切断を回避することができる。
【図面の簡単な説明】
【００１２】
【図１】従来の、地上から発呼された呼が移動局と音声通信を開始し、移動局が異なる統制局管轄の基地局間を移動する際の音声通話の継続を説明するシーケンス図である。
【図２】移動局通信システムのブロック図である。
【図３】移動局から発呼された呼が地上網と音声通信を開始し、移動局が異なる統制局管轄の基地局間を移動する際の音声通話の継続を説明するシーケンス図である。
【図４】新規発呼された呼が音声通話を開始するまでのフローチャートである。
【図５】通話中の移動局が異なる統制局の基地局間を移動するときのフローチャートである。
【発明を実施するための形態】
【００１３】
以下、本発明の実施の形態について、実施例を用い、図面を参照しながら詳細に説明する。
図２を参照して、移動局通信システムの構成を説明する。図２において、移動局通信システム８００は、移動体１００と、伝送路（ＬＣＸ：Leaky CoaXial cable system）３００と、基地局４００と、統制局交換機（統制局）２００と、鉄道会社電話網５００と、公衆網６００と、電話機７００と、を含む。移動体１００は、移動局１１０と、業務電話機１２０と、公衆電話機１２０Ａと、を含む。移動局１１０は、プロセッサ１１１と、メモリ１１２と、を含む。統制局２００は、プロセッサ２１０と、メモリ２２０と、メモリ２３０と、を含む。
【００１４】
移動体１００は、列車である。統制局交換機（統制局）２００は、通話をする移動体１００が自己の電波基地局内に存在する基地局４００を介して、移動体１００内にある移動局１１０と鉄道会社電話網５００および公衆電話網６００の間を交換、接続し、複数の基地局を統括する。
【００１５】
追跡回線２５０は、移動局が通話中に統制局管轄間をハンドオーバする際に必要な制御情報の送受信および通話中の音声信号を伝送する。伝送路３００は、無線回線を含む。基地局４００は、無線電波を移動局に対して送出する。鉄道会社電話網５００は、鉄道会社が所有、管理する。一般公衆網６００は、鉄道会社が通信事業者と契約している電話網である。電話機７００Ａは、鉄道会社電話網５００に加入している電話機である。電話機７００は、公衆電話網に加入している電話機である。移動局１１０は、移動体１００に設置され、基地局４００との間で伝送路３００を介して無線電波を送受信する。
【００１６】
プロセッサ１１１およびメモリ１１２は、移動局１１０を制御する。メモリ１１２に格納されているプログラムに基づいて、プロセッサ１１１は、ソフトウェア制御を行う。業務電話機１２０および公衆電話機１２０Ａは、移動体１００に設置されている。プロセッサ２１０、メモリ２２０およびメモリ２３０は、統制局２００が所有している。メモリ２２０は、統制局２００が管轄する全ての基地局４００で音声通話されているチャネルの情報（以下、チャネル情報）をリアルタイムで所有する。メモリ２３０は、プログラムを格納する。プロセッサ２１０は、メモリ２３０のプログラムとメモリ２２０のチャネル情報を元に制御を行っている
以下、明細書に用いる用語を説明する。
新規発呼は、移動局または基地局によって、新たに通話呼が生起されることを指す。新規発呼受付けは、移動局から地上電話網への発信方向と、地上電話網から列車への発信方向との２パターンがある。
【００１７】
基地局指定信号は、移動局と統制局間で移動局の在線情報を共有するために用いる信号である。また、基地局指定信号は、発呼がなされてから終話がなされるまで、統制局と移動局との間で絶え間なく通信をしあう信号である。そのため、移動局が２つの基地局間を移動する際には、基地局指定信号の有無を用いて移動局の移動を確認する。また、統制局は、基地局を番号管理をしており、その番号を用いて基地局指定信号を送信する。移動局が統制局内で端の基地局に在線しており、隣接統制局の基地局へ閉塞信号の影響がでる場合、統制局間で信号のやり取りを行う。その結果、隣接統制局は、移動局が端の基地局に在線していることを認識する。
【００１８】
全閉塞信号は、全閉塞信号を受けた列車の該当するチャネルにて、通信が混信しないために、全ての発信を規制し、また閉塞チャネルに侵入した移動局の通話を強制切断する信号である。
【００１９】
片側閉塞信号は、呼接続時に移動局の存在する基地局より進行方向（前方）２基地局先と反対方向（後方）１基地局を上りまたは下り方向で閉塞（通話予約）し、混信を防ぐ信号である。なお、進行方向の通話予約は、１基地局でもよい。
強制切断処理は、移動局が閉塞されている基地局の当該チャネルに止むを得ず進入した場合、音声信号を混信させないために閉塞チャネルに進入した移動局の通信を強制的に切断する処理である。
【００２０】
図３を参照して、移動局から地上への発信で、統制局Ａ管轄の端基地局Ｍから、統制局Ｂ管轄の端基地局Ｎへ移動局が移動し、移動元の基地局との通信に使用されていたチャネルがハンドオーバ先の基地局において既に使用されており、移動先の基地局にて空きチャネルが存在する際の音声通話の継続を説明する。
【００２１】
図３において、移動局１１０は、最寄の基地局４００−Ｍに対し、発信を行う（Ｓ３１）。このとき、移動局１１０は、自分が在線する基地局を統制局に教えるため、基地局指定信号も合わせて送出する。
【００２２】
移動局１１０の在線が基地局４００−Ｍのため、呼を受け付けた統制局２００−Ａは、統制局２００−Ｂ管轄の基地局２つへ閉塞信号および統制局２００−Ａが管理するチャネル情報を送出する（Ｓ３２）。統制局２００−Ｂは、ここでは他移動局による閉塞情報が重なっているので、他の空きチャネルを統制局２００−Ａに送出し、送出したチャネルで統制局２００−Ａに指定された基地局を閉塞する（Ｓ３３）。
【００２３】
統制局２００−Ａは、統制局２００−Ｂから受け取った空きチャネルを用いて後方１基地局の閉塞処理を行い、その後基地局４００−Ｍとの間に通話パスを形成し（Ｓ３４）、地上電話網と移動局間で音声通話状態となる。
【００２４】
移動局が１１０基地局４００−Ｍの無線区間から基地局４００−Ｎの無線区間へ移動すると、移動局１１０が送信していた基地局指定信号もそれに伴い、基地局４００−Ｍから基地局４００−Ｎへ移る（Ｓ３６）。基地局４００−Ｍは、統制局２００−Ａに基地局指定信号停止を通知する（Ｓ３７）統制局２００−Ｂは、統制局２００−Ａへ移動局の基地局指定信号を受信したことおよび空きチャネル情報を通知する（Ｓ３８）。
【００２５】
統制局２００−Ａは、統制局２００−Ｂへ移動局１１０からの基地局指定信号が途絶えたことを通知する（Ｓ３９）。統制局２００−Ａは、移動前に基地局４００−Ｍが移動局と通信を行っていたチャネルが空いていればそのままのチャネルを送出し、他移動局による閉塞情報が重なっていた場合他の空きチャネルを統制局２００−Ｂに送出し、送出したチャネルで基地局４００−Ｍを閉塞する。統制局２００−Ｂは、統制局２００−Ａから送られてきた空きチャネルを利用し、基地局４００−Ｎに通話パスを形成し（Ｓ４０）、地上網５００、６００と移動局１１０間で音声通話が再開される。
【００２６】
なお、統制局２００−Ａから送られてきたチャネルが他移動局によって閉塞されていた場合、閉塞されたチャネルに移動してきた移動局は、通話再開後通話保証時間を待った後統制局２００−Ｂによって地上電話網との音声通話を強制切断される。
【００２７】
図４を参照して、新規発呼から音声通話までの処理を説明する。図４において、地上電話網または移動局にて新規発呼がなされ、フローが開始される。発呼を受け付けた統制局は、発呼が移動局発か地上発か判定する（Ｓ５１）。地上発のとき、統制局は、他の全統制局の全基地局に対し、発呼先の移動局を呼出す（Ｓ５２）。
【００２８】
呼び出された移動局は、基地局指定信号を最寄の基地局を経由して統制局に対して送出する（Ｓ５３）。移動局から基地局指定信号の応答があった統制局は、自統制局の基地局の閉塞を行い、移動局の在線位置が端の基地局であり、隣の統制局へ閉塞が影響する場合は、隣接統制局へ閉塞信号を送出する（Ｓ５４）。統制局は、空きチャネルにて、移動局の最寄基地局との通話パスを形成する（Ｓ５５）
ステップ５１で移動局発呼のとき、発呼を受け付けた移動局は、最寄の基地局に対して基地局指定信号を送出する（Ｓ５６）。移動局から基地局指定信号のあった統制局は、自統制局の基地局の閉塞と、隣の統制局へ閉塞が影響する場合は、隣接統制局へ閉塞信号および空きチャネル情報を送出する（Ｓ５７）。閉塞信号を受け取った統制局は、指定されたチャネルが空いていれば受け取り元統制局に返し指定されたチャネルを返す。他移動局による閉塞情報が重なっていた場合、受取元統制局の空きチャネルと自統制局の空きチャネルの積を取り、受取元統制局に空きチャネル情報を送出し、送出したチャネルで受取元統制局に指定された基地局を閉塞して（Ｓ５９）、ステップ５５に遷移する。
ステップ５５で通話パスが形成され、移動局−地上網間の音声通話が開始される（Ｓ６０）。
【００２９】
図５を参照して、移動局が異なる統制局間の基地局間を移動した場合の音声通話の処理を説明する。図５において、移動局は、異なる統制局間の基地局間を移動する（Ｓ７１）。移動局は、移動先の基地局を経由して移動先の統制局に基地局指定信号を送出する（Ｓ７２）。移動先の統制局は、移動元統制局に基地局指定信号が送出されたことを通知し、移動元の統制局は移動先の統制局に、移動局からの基地局指定信号が途絶えたことを通知する（Ｓ７３）。移動元統制局は、移動先統制局へ空きチャネルを送出する（Ｓ７４）。
【００３０】
移動先統制局は、自統制局の基地局の閉塞と移動元統制局へ閉塞信号を送出する（Ｓ７５）。移動先統制局は、移動先基地局が他移動局による閉塞基地局である場合かを判断する（Ｓ７６）。ＮＯのとき、移動先統制局は、移動元統制局が使用していたチャネルで通話パスを形成し、移動局と地上網との間で音声通話を開始して（Ｓ７７）、終了する。
【００３１】
ステップ７６でＹＥＳのとき、移動先統制局は、移動先基地局に空きチャネルが存在するか判断する（Ｓ７８）。ＹＥＳのとき、移動先統制局は、移動元統制局の空きチャネル情報と自統制局の空きチャネルの積を取り、空きチャネルで通話パスを形成し、移動局と地上網との間で音声通話を開始して（Ｓ７９）、終了する。
【００３２】
ステップ７８でＮＯのとき、移動先統制局は、移動元統制局が使用していたチャネルで通話パスを形成する（Ｓ８０）。通話パスが形成され、音声通話が開始された後、移動先統制局は、通話保証時間通話後に移動局と地上網との通話を強制切断する。
【符号の説明】
【００３３】
１００…移動局、１１０…移動局、１１１…プロセッサ、１１２…メモリ、１２０…電話機、２００…統制局電話交換機、２１０…プロセッサ、２２０…メモリ、２３０…メモリ、２５０…追跡回線、３００…伝送路、４００…基地局、５００…鉄道会社電話網、６００…公衆電話網、７００…電話機、８００…移動局通信システム。
【図１】
2016086198.tif 000003
【図２】
2016086198.tif 000004
【図３】
2016086198.tif 000005
【図４】
2016086198.tif 000006
【図５】
2016086198.tif 000007